(57)【要約】【課題】時と場所とを選ばず、適切な時間、適度に加温しながら腰部の矯正を行なうために使用できる、腰部用加温コルセットの提供。当該コルセットを使用する、腰部の加温及び矯正方法の提供。【解決手段】コルセットの腰部に当接する位置に、含水ゲル組成物を袋体に封入してなる温熱発生体が着脱自在に保持されてなる腰部用加温コルセットを使用する。温熱発生体を高周波レンジで加温し、腰部用コルセットに保持させ、次いで当該コルセットを腰部周囲に巻き付ける。【選択図】　図１
2004081639.tif 000002
【特許請求の範囲】
【請求項１】
腰部用加温コルセットであって、当該コルセットの腰部に当接する位置には、含水ゲル組成物を袋体に封入してなる温熱発生体が着脱自在に保持されてなることを特徴とする腰部用加温コルセット。
【請求項２】
温熱発生体を着脱自在に保持する手段が、コルセットに設けられたポケットである、請求項１に記載の腰部用加温コルセット。
【請求項３】
含水ゲル組成物を袋体に封入してなる温熱発生体を高周波レンジで加温し、温熱発生体を着脱自在に保持できる腰部用コルセットに加温された温熱発生体を保持させ、当該コルセットを腰部周囲に巻き付けることを特徴とする腰部の加温及び矯正方法。
【発明の詳細な説明】
【０００１】
【産業上の利用分野】
本発明は、患部の固定、矯正と患部の加温とを同時に且つ簡易に行なうことが出来る、腰部用加温コルセットに関する。
【０００２】
【従来の技術】
椎間板ヘルニア等の腰部疾患の患者や、疲労等の種々の原因による慢性腰痛の患者は、コルセットを装着することにより、腰部を固定してその状態を矯正する。そのようなコルセットによる腰部矯正は、加温により血行を改善しながら行なうとより効果的である場合がある。
【０００３】
このような要請に応えるべく、特開平６−３２７７０７号公報には、加温と矯正とを同時に行なうための、セラミック等の遠赤外線放射物質のシートを装備し、さらに電気で発熱する発熱体を入れるポケットを装備したコルセットが開示されている。しかし、このコルセットを、発熱体で身体を加温しながら使用する場合には、電源の側にいる必要がある。
【０００４】
また、特開２０００−３４２７００号公報には、ゴムと遠赤外線放射物質であるセラミック・パウダーとの混合物を素材とする身体温め片を、整形用コルセットの背部に着脱自在に取り付ける旨が記載されている。この身体温め片は、体温によって加温されることにより、セラミック・パウダーが遠赤外線を放射して身体を温めるという作用を示すものである。遠赤外線による加温では、４０℃以上とはならないといわれており、この身体温め片による温熱効果には限界がある。
【０００５】
生体細胞を賦活化する活性電子を放出する物質として、トルマリンが注目されている。そして、特開平１０−２１９５０４号公報には、腰部の固定と細胞の賦活化による疲労回復や自律神経機能の調整とを同時に行なうための、トルマリンの微粒子を含有させた繊維（エレクトレット繊維）を使用した生地を内側に配したコルセットベルトが開示されている。
【０００６】
一方、保温に含水ゲルを利用する試みも知られている。その例を挙げると、特開２００１−２５８９２２号公報に開示された保温包装体及び特開平９−９５８６４号公報に開示された保温、保冷性中空繊維がある。
【０００７】
特開２００１−２５８９２２号公報に開示の保温包装体の発熱機構は、無機塩類（発熱剤）と水との反応であるが、当該公報には、使用後の保温包装体内に収容されているのはゲル状物であるため、使用後（発熱反応の後）の保温包装体を、電子レンジで加熱して使用することも出来る旨の記載がある。しかし、当該公報には、保温包装体を電子レンジで加熱して使用する場合についての具体的説明は一切ない。
【０００８】
特開平９−９５８６４号公報に開示された保温、保冷性中空繊維は、中空繊維の中空部に含水ゲルが充填されてなるものである。当該公報の実施例の欄の記載を参照すると、この中空繊維で作られた製品を恒温室で加温し又は冷凍した後に常温（２５℃）に放置した場合、その保温又は保冷効果の持続時間は短い。
【０００９】
【発明が解決しようとする課題】
本発明は、時と場所とを選ばず、適切な時間、適度に加温しながら、そして必要な場合にはさらに細胞の活性化をも図りながら、腰部の矯正を行なうために使用できる、腰部用加温コルセットを提供することを目的とする。
【００１０】
【課題を解決するための手段】
本発明者らは、上記目的を達成すべく鋭意努力し、その結果として本発明をなした。
【００１１】
即ち、本発明は、腰部用加温コルセットであって、当該コルセットの腰部に当接する位置には、含水ゲル組成物を袋体に封入してなる温熱発生体が着脱自在に保持されてなることを特徴とする腰部用加温コルセットを提供する。
【００１２】
温熱発生体を着脱自在に保持する手段の一例として、コルセットに設けられたポケットが挙げられる。
【００１３】
前記コルセットの腰部に当接する位置には、矯正板が設けられていてもよい。
【００１４】
前記コルセットの腰部に当接する位置には、遠赤外線を放射する物質及び／又は活性電子を放出する物質が固定されていてもよい。
【００１５】
また、本発明は、含水ゲル組成物を袋体に封入してなる温熱発生体を高周波レンジで加温し、温熱発生体を着脱自在に保持できる腰部用コルセットに加温された温熱発生体を保持させ、当該コルセットを腰部周囲に巻き付けることを特徴とする腰部の加温及び矯正方法を提供する。
【００１６】
【発明の実施の形態】
以下に、本発明を、その好適実施例を参照しながら説明する。
【００１７】
始めに、図面を参照しつつ、本発明の腰部用加温コルセットの物理的構成について説明する。
【００１８】
図１は、本発明のコルセットの好適実施例を示す模式図である。本発明のコルセット１０は、コルセット本体１の腰部に当接する位置に、温熱発生体３を着脱自在に保持するためのポケット２を有するものである。
【００１９】
ここで、「温熱発生体」とは、含水ゲル組成物を袋体に封入してなるものであって、それ自体が加温されることによって温熱を発生できるようになり、加温材としての機能を示すようになるものをいう。
【００２０】
コルセット本体１の形状は、従来のコルセットにおいて使用されているものでよい。また、コルセット１０を腰部周囲に巻き付けて固定するためのコルセット本体１の係止係合手段も、従来公知の手段でよい。例を挙げると、１）コルセット本体１の右端部内面に鉤状係止部が形成され、左端部外面にはループ部が形成されているもの（いわゆるマジックベルト）、２）コルセット本体１の右端部内面に鉤状係止部が形成され、左端部外面はその鉤状係止部が噛み込むことの出来る布（例えばパイル布）で形成されているもの、３）コルセット本体１の左右端部に形成された面状ファスナー等が挙げられる。
【００２１】
コルセット１０には、温熱発生体３を着脱自在に保持するための手段として、ポケット２が形成されている。このポケットの開口は、上又は側面である。ポケット２の大きさは、温熱発生体３よりも若干大きめである。
【００２２】
なお、ポケット２以外の、温熱発生体３を着脱自在に保持するための手段としては、例えば、コルセット本体１の腰部に当接する位置に鉤状係止部を形成し、温熱発生体３の一つの面を、その鉤状係止部が噛み込むことの出来る材質（布、不織布等）で形成するという手段が挙げられる。
【００２３】
ポケット２等の、温熱発生体３を着脱自在に保持するための手段は、コルセット本体１の内面（身体に向き合う面）に形成されても、外面に形成されてもよい。内面に形成されている場合には、温熱発生体３が身体に密着するという利点がある。一方、外面に形成されている場合には、コルセット１０の腰部固定効果が、温熱発生体３の存在によって影響を受けないという利点がある。
【００２４】
図２は、本発明のコルセットの他の好適実施例を示す模式図である。このコルセット２０は、コルセット本体１の腰部に当接する位置に、温熱発生体３を着脱自在に保持するためのポケット２を二つ有するものである。また、腰部に当接する位置の左方と右方には、二枚の矯正板４、４が組み込まれている。
【００２５】
温熱発生体３の加温は、通常は高周波レンジ（いわゆる電子レンジ）を用いて行なうが、特に回転皿式の高周波レンジを用いる場合、被加温体の大きさが、回転皿の直径よりも小でなければならないという制約がある。そこで、より広範囲に温めたい場合等には、このコルセット２０を用い、温熱発生体３二つを、コルセット本体１に設けられた二つのポケット２のそれぞれに入れればよい。
【００２６】
矯正板４は、例えば板状の部品であり、当該技術分野で公知である。矯正板４は、一般的には、コルセット本体１の外側に形成された矯正板用ポケット（図示せず）に挿入されて用いられる。
【００２７】
本発明のコルセットには、その腰部に当接する位置に、遠赤外線を放射する物質が固定されていてもよい。例えば、コルセット本体の内面に温熱発生体保持用のポケットが形成されている場合には、そのポケットにシート状のセラミックスが、印刷によって貼り付けられていてもよい。また、コルセット本体の外面に温熱発生体保持用のポケットが形成されている場合には、コルセット本体の内面であって当該ポケット形成位置に対応する位置に、シート状のセラミックスが貼り付けられていてもよい。このような構成とすると、温熱発生体の熱エネルギーによってセラミックスから遠赤外線が放射され、より優れた加温効果が得られる。
【００２８】
本発明のコルセットには、その腰部に当接する位置に、活性電子を放出する物質が固定されていてもよい。この活性電子を放出する物質は、遠赤外線を放射する物質同様、温熱発生体保持用のポケット又はコルセット本体に貼り付けられていてもよいし、又は、当該ポケットやコルセット本体を構成する繊維に含有されていてもよい。なお、繊維に活性電子を放出する物質であるトルマリンを含有させる方法は、例えば、特開平１０−２１９５０４号に開示されている。
【００２９】
本発明のコルセットは、さらに、補助ベルト等の従来からコルセットに使用されている他の構成要素を含んでいてもよい。
【００３０】
次に、本発明のコルセットの各部分を構成する材料等について、具体的に説明する。
【００３１】
コルセット本体は、通常は繊維で出来ている。繊維の材質は特に限定されないが、例えば、ナイロン、ポリウレタン、ポリエステル、木綿等が挙げられる。コルセット本体は、一種類の繊維で形成されていてもよいが、例えば、内面と外面、腰部に当接する位置とその他の位置というように、二種類以上の繊維が使い分けられていてもよい。
【００３２】
コルセット本体には、その腰部に当接する位置に、温熱発生体を着脱自在に保持するための手段が形成されている。このような手段の代表例がポケットである。ポケットは、通常は繊維で出来ており、その材質は、コルセット本体と同じものでも異なるものでもよい。
【００３３】
本発明において用いられる温熱発生体は、含水ゲル組成物が袋体に封入されてなるものである。温熱発生体は、含水ゲル組成物を封入してなる袋体がさらにもう一つの袋体に封入されてなるというような二重構造であってもよい。
【００３４】
含水ゲル組成物は、水と吸水性高分子化合物とを必須成分として含有する。含水ゲル組成物の水含有量は、吸水性高分子化合物及びその他の添加物の種類及び量や含水ゲル組成物の目標とする粘度（流動性）に応じて決定されるが、一般的には、組成物全量中の５０〜９７．５重量％、好ましくは６０〜９５重量％、さらに好ましくは７５〜９２．５重量％、最も好ましくは８０〜９０重量％である。
【００３５】
吸水性高分子化合物とは、水を吸収、保持してゲルを形成する高分子化合物をいう。本発明においては、吸水性高分子化合物の含有量は、含水ゲル組成物全体の１〜５０重量％、好ましくは２〜４０重量％、より好ましくは３〜２５重量％である。
【００３６】
本発明で用いる吸水性高分子化合物の種類は特に限定されないが、例えば、ポリビニルアルコール、ポリビニルピロリドン、ポリアクリル酸及びその塩類、ポリエチレンオキシド、ポリアクリルアミド、酢酸ビニル−アクリル酸エステル共重合体の加水分解物等の合成高分子化合物、デキストラン、プルラン、ゼラチン等の天然高分子化合物、メチルセルロース、エチルセルロース、カルボキシメチルセルロース及びその塩類、デンプン系共重合体類（アクリル酸デンプン、デンプン−アクリル酸グラフト共重合体、デンプン−アクリロニトリル共重合体の部分加水分解物等）等の半合成高分子化合物が挙げられる。
【００３７】
吸水性高分子化合物の吸水量は、当該高分子化合物を架橋させることによって調整することが出来る。また、架橋は、含水ゲル組成物の流動性の低下や形状保持性の向上にも寄与する。架橋は、単量体を重合する際に行なうことも出来るし、重合後に行なうことも出来る。
【００３８】
架橋吸水性高分子化合物の例としては、Ｎ，Ｎ’−メチレンビスアクリルアミドやエチレングリコールジメタクリレート等のジビニル系化合物を架橋剤としてビニルモノマーを重合してなる架橋ビニルポリマー、アクリル酸（塩）をジ又はトリアクリル酸エステル架橋剤の存在下に重合してなる架橋アクリル酸（塩）ポリマー、セルロースやポリビニルアルコールのアセタール化物、架橋イソブチレン−無水マレイン酸共重合体の加水分解物、架橋ポリアクリル酸部分中和物、２−アクリルアミド−２−メチルプロパンスルホン酸とアクリル酸との共重合架橋物、さらには、架橋ポリアスパラギン酸（塩）、ポリエチレンオキシド架橋体、ポリビニルアルコール架橋体、カルボキシメチルセルロース架橋体、アルギン酸架橋体、デンプン架橋体、ポリアミノ酸架橋体等の生分解性吸水性樹脂が挙げられる。
【００３９】
重合後の、即ち高分子化合物の架橋は、高分子化合物の種類に応じて選択された架橋剤を用いて公知の方法により行なうことが出来る。
【００４０】
本発明の含水ゲル組成物は、水と吸水性高分子化合物を必須成分とするが、さらに、界面活性剤、粘度調整剤、防腐剤、染料等を含有していてもよい。
【００４１】
界面活性剤は、吸水性高分子化合物等の材料の親水性を向上させ、水の保持、吸収性を高めるのに役立つ。界面活性剤の含有量は、含水ゲル組成物全体の、好ましくは０．０１〜１０重量％、より好ましくは０．０５〜５重量％、さらにより好ましくは０．１〜２重量％である。
【００４２】
界面活性剤の例としては、高級脂肪酸石鹸類、アルキル硫酸エステル塩類、ポリオキシアルキレンアルキル硫酸塩類、ポリオキシアルキレンアルキルエーテル硫酸塩類、ポリオキシアルキレンアルキルエーテルリン酸塩類、Ｎ−アシルアミノ酸塩類等の陰イオン性界面活性剤、塩化アルキルトリメチルアンモニウム類、塩化ジアルキルジメチルアンモニウム類、塩化ベンザルコニウム等の陽イオン性界面活性剤、アルキルジメチルアミノ酢酸ベタイン類、アルキルアミドジメチルアミノ酢酸ベタイン類、２−アルキル−Ｎ−ヒドロキシイミダゾリニウムベタイン類等の両性界面活性剤、及びポリオキシエチレンソルビタンモノオレエート、ポリオキシエチレンモノステアレート、ポリオキシエチレンポリオキシプロピレンアルキルエーテル類等の非イオン性界面活性剤が挙げられる。
【００４３】
粘度調整剤は、一般には、含水ゲル組成物の粘度を低下させるために使用される。また、粘度調整剤は、含水ゲル組成物を構成する原料の可溶化剤（溶媒）としても機能する。粘度調整剤の含有量は、含水ゲル組成物全体の、好ましくは１〜２０重量％、より好ましくは２〜１０重量％、さらにより好ましくは４〜８重量％である。
【００４４】
粘度調整剤の例としては、グリセリン、エチレングリコール、ポリエチレングリコール、プロピレングリコール、ポリプロピレングリコール等の多価アルコール類、ジエチレングリコールモノアルキル（Ｃ１−３）エーテル、ジエチレングリコールジアルキル（Ｃ１−３）エーテル、トリエチレングリコールモノアルキル（Ｃ１−３）エーテル、トリエチレングリコールジアルキル（Ｃ１−３）エーテル等のエーテル類、一般式Ｒ１−（Ｏ−Ｒ２）ｎ−Ｏ−ＣＯ−Ｒ３［Ｒ１、Ｒ３＝Ｃ１−３のアルキル基、Ｒ２＝Ｃ１−２のアルキレン基、ｎ＝１−５］で示されるグリコールエーテル酢酸アルキルエステル類が挙げられる。また、塩化カルシウム等の無機化合物も、粘度調整剤として使用することができる。
【００４５】
防腐剤は、吸水性高分子化合物として特に天然又は半合成高分子化合物を用いる場合に、その高分子化合物の安定性保持のために使用する。本発明で使用する防腐剤は、特に限定されないが、その例として、安息香酸ナトリウム、ソルビン酸カリウム、パラオキシ安息香酸エチル、パラオキシ安息香酸プロピル、パラオキシ安息香酸ブチル、パラオキシ安息香酸イソブチル、プロピオン酸ナトリウム、イータ−ポリリシン、チアベンダゾール、イソチアゾロン等が挙げられる。
【００４６】
本発明で用いる含水ゲル組成物を着色したい場合には、例えば食用染料として許可されている各種染料を用いればよい。
【００４７】
本発明の含水ゲル組成物は、さらに、遠赤外線放射物質、活性電子放出物質、保型性向上機能を有する物質等を含有していてもよい。遠赤外線放射物質及び活性電子放出物質については後記する。含水ゲル組成物の保型性の向上機能を有する物質、即ち増粘剤の例としては、カオリン、ベントナイト、亜鉛華、酸化チタン類、タルク、塩化アルミニウム、硫酸アルミニウム、硝酸アルミニウム、水酸化アルミニウム、カリウムミョウバン、球状高分子化合物（球状セルロース等）、ポリブテン、ポリイソブチレン等が挙げられる。
【００４８】
袋体は、単層又は多層構造のフィルム又はシートで形成されている。また、フィルムやシートに不織布又は織布が積層されていてもよい。これらフィルムやシートの素材は、柔軟で、使用中に容易には破損しない程度の強度があり、含水ゲル組成物が漏れないものであれば、特に制限されない。また、不織布、織布の素材は、柔軟で、フィルムやシートに接着又は融着により積層可能なものであれば、特に制限されない。
【００４９】
袋体を構成するフィルム又はシートの素材の例として、ポリエチレン、ポリプロピレン等のポリオレフィン類、ナイロン等のポリアミド類、ポリエチレンテレフタレート等のポリエステル類、エチレン−酢酸ビニル共重合体及びその鹸化物、エチレン−アルキル（メタ）アクリレート共重合体等のエチレン共重合体類、ポリ塩化ビニル、ポリ塩化ビニリデン、ポリウレタン、ポリスチレン等が挙げられる。また、天然ゴム、再生ゴム、合成ゴムも用いることが出来る。
【００５０】
また、袋体を構成する不織布又は織布の素材の例として、レーヨン、ナイロン、ポリエステル、アクリル、ポリプロピレン、ビニロン、ポリエチレン、ウレタン、木綿、セルロース等を挙げることができる。
【００５１】
このような袋体に前記含水ゲル組成物が入れられた後、袋体の周囲は、熱融着され又は接着剤によって接着される。
【００５２】
このような袋体の内面又は外面には、遠赤外線放射物質や活性電子放出物質が貼り付けられていてもよい。
【００５３】
矯正板は、腰と背中にコルセットを密着させる機能を有する板状体であり、その材質は、例えば、塩ビ樹脂等の樹脂、アルミニウム等の金属、竹である。
【００５４】
遠赤外線放射物質とは、遠赤外線を放射する機能を有する物質をいう。ここで、「遠赤外線」とは、一般的には、２５μｍ〜１ｍｍ位の範囲の波長を有する電磁波をいうが、本発明においては、波長は上記範囲内に厳密に限定されるものではない。
【００５５】
遠赤外線放射物質の代表例として、セラミックスが挙げられる。セラミックスは、粘土セラミックス材料とその他のセラミックス材料とに大別される。粘土セラミックスは、粘土（カオリン）、石英及び長石の三成分を主要成分とし、それらを様々な量比で含むものを包含する。その他のセラミックスには、酸化物セラミックス、非酸化物セラミックス等がある。
【００５６】
酸化物セラミックスの例としては、Ａｌ、Ｂｅ、Ｖ、Ｆｅ、Ｙ、Ｃｏ、Ｃｕ、Ｎｉ、Ｓｉ、Ｓｎ、Ｔｉ、Ｃｒ、Ｃｅ、Ｚｒ、Ｃａ、Ｔａ、Ｎｂ、Ｍｇ、Ｔｈ、Ｐｂ等の単独及び複合酸化物が挙げられる。
【００５７】
非酸化物セラミックスの例としては、Ｂ、Ｓｉ、Ｔｉ，Ｚｒ、Ｈｆ、Ｗ等の炭化物、周期律表の第４、５及び６族に属する原子のホウ化物、周期律表の第３、４及び５族に属する原子の窒化物が挙げられる。
【００５８】
また、セラミックス以外の遠赤外線放射物質の例としては、おがくず、もみ殻、そば殻、椰子殻、鋸屑、木材チップ、お茶がら、コーヒー焙煎抽出かす、これらが（活性）炭化処理されてなるもの等が挙げられる。
【００５９】
本発明においては、遠赤外線放射物質は、前記したように、コルセット本体やコルセット本体に形成されたポケットに貼り付けられてもよいし、含水ゲル組成物の一成分として使用されてもよいし、含水ゲル組成物が封入される袋体の内面又は外面に貼り付けられてもよい。
【００６０】
活性電子放出物質とは、ヒドロキシルイオン（Ｈ３Ｏ２−）等のいわゆるマイナスイオンを発生する物質をいい、その代表例はトルマリン鉱石である。
【００６１】
本発明においては、活性電子放出物質は、前記したように、コルセット本体やコルセット本体に形成されたポケットに貼り付けられ又はそれらを構成する繊維に含有させられていてもよいし、含水ゲル組成物の一成分として使用されてもよいし、含水ゲル組成物が封入される袋体の内面又は外面に貼り付けられ或いは袋体を構成する材料に含有させられていてもてもよい。
【００６２】
本発明は、腰部の加温及び矯正方法をも提供する。この方法は、慢性疼痛の場合等に適用される。
【００６３】
本発明の腰部の加温及び矯正方法においては、温熱発生体を高周波レンジで加温し、加温された温熱発生体を腰部用コルセットに保持させ、そして当該コルセットを腰部周囲に巻き付ける。温熱発生体は、ゲル温度で通常は４０〜４８℃、好ましくは４２〜４６℃になるように加温するとよい。
【００６４】
高周波レンジとして、家庭用の電子レンジを用いることが出来る。温熱発生体の加温時間は、温熱発生体の重量及び高周波レンジの電力（ワット数）による。図１に示した例では、通常は４５０ｇ前後の重量の温熱発生体が使用される。この場合の加温時間は、高周波レンジの電力が５００〜７００Ｗの場合、通常は８０〜１６０秒、好ましくは１００〜１４０秒程度である。
【００６５】
【実施例】
以下に、実施例により、本発明をより具体的に説明する。但し、本発明は、以下の実施例に限定されない。
【００６６】
実施例１
常法により、表１に示す原料を混合し、高分子化合物を架橋させ、非流動性の含水ゲルを調製した。
【００６７】
【表１】
2004081639.tif 000003
【００６８】
この含水ゲル４５０ｇを、不織布（ポリエステル１００％、坪量：７０ｇ／ｍ２）にナイロンフィルム（３０μｍ厚）とポリエチレンフィルム（６０μｍ厚）とを接着させてなる積層体製の袋体（外側：不織布、中間：ナイロンフィルム、内側：ポリエチレンフィルム、サイズ：１７０ｍｍ×２５０ｍｍ）に入れ、袋体の周囲約１０ｍｍを接着してゲルパックを調製した。
【００６９】
このゲルパックを、電子レンジで加温し、加温されたゲルの経時による温度の低下を、以下の方法で測定した。
【００７０】
（ゲル温度の低下の試験）
１．試験器
試験器は、温熱器と循環式恒温水槽とを含む。
【００７１】
（１）温熱器
温熱器の材質は、ＪＩＳ　Ｇ　４３０３（熱間圧延ステンレス鋼板）のＳＵＳ３０４（厚さ：３ｍｍ）である。形状は、縦３００ｍｍ、横６００ｍｍ、高さ１００ｍｍの箱型である。
温熱器の上面（３００ｍｍ×６００ｍｍ）には、厚さ６ｍｍのアクリル樹脂板が、ネジで固定されている。
温熱器の上面以外の面は、発泡スチロール製断熱材（厚さ：３０ｍｍ）で被覆されている。
温熱器内部は、温水が循環できるように構成されている。
【００７２】
（２）循環式恒温水槽
温熱器に１９〜２１リットル／分の流量で温水を循環させることが出来る水槽である。本試験においては、温熱器のアクリル樹脂板上の温度が３５〜３７℃となるように、温水の温度を調整した。
【００７３】
２．試験方法
（１）電子レンジにゲルパックを入れ、強に設定して１２０秒間加熱した。なお、電子レンジの電力は、５００Ｗ、６００Ｗ及び７００Ｗの三種類とした。
（２）電子レンジから取り出したゲルパックを、温熱器のアクリル板（３５〜３７℃）上に置き、パックの一部を小さく切断して、その切断部位からゲルに温度計を差し込んだ。
（３）一定時間ごとに、ゲルの温度を測定した。
【００７４】
３．結果
図３に、加温後の時間とゲルの温度との関係をグラフで示した。なお、電子レンジで加熱しなかったゲルパックを同じ温熱器のアクリル板上に置いたところ、１０分後にゲルの温度は３３．５℃となった（図３中に破線で示した）。
【００７５】
図３から明らかなように、ヒトの体温にほぼ等しい温度のアクリル板上にゲルパックを置くと、身体の加温に適する温度（約４０〜４５℃）に加温されたゲルの温度は、４時間で約５℃低下しただけであった。従って、このようなゲルパックをコルセットと共に用いると、４時間以上の長時間に亘って、腰部を穏やかに加温することが出来る。
【００７６】
【発明の効果】
本発明で使用する温熱発生体は、簡易な方法で加温することが出来る。
【００７７】
この温熱発生体は、コルセットに保持されて使用される際に電源等を必要としないので、本発明のコルセットは、時と場所とを選ばずに使用することが出来る。
【００７８】
この温熱発生体は、柔軟であり、身体の動きに追従するので、そして、適温を長時間に亘って保持できるので、本発明のコルセットを用いれば、患部を効果的に加温することが出来る。
【００７９】
従って、本発明の腰部用加温コルセットを用いれば、時と場所とを選ばず、簡易な方法で、加温を伴った効果的な腰部の矯正を経済的に行なうことが出来る。
【図面の簡単な説明】
【図１】図１は、本発明の腰部用加温コルセットの一例を示す模式図である。
【図２】図２は、本発明の腰部用加温コルセットの他の一例を示す模式図である。
【図３】図３は、電子レンジで加温したゲルパック中のゲルの、経時による温度の低下を示すグラフである。
【符号の説明】
１　コルセット本体
２　ポケット
３　温熱発生体
４　矯正板
１０、２０　腰部用加温コルセット
【図１】
2004081639.tif 000004
【図２】
2004081639.tif 000005
【図３】
2004081639.tif 000006